(57)【特許請求の範囲】
【請求項１】
自端末宛の電波を受信すると着信通知を送信する携帯端末と、前記着信通知を受信する着信認識装置と、を備える着信確認システムであって、
前記携帯端末は、
前記自端末宛の電波を受信すると、フリーバンドの電波によって前記着信通知を前記着信認識装置へ送信するフリーバンド電波送信手段を備え、
前記着信認識装置は、
前記着信通知を受信する着信通知受信手段と、
前記着信通知受信手段により、受信した前記着信通知の周波数と自装置の有する固有の周波数とが一致するか否か判定する周波数判定手段と、を備え、
前記周波数判定手段により、受信した前記着信通知の周波数と前記自装置の有する固有の周波数とが一致したとき、当該着信認識装置を有するユーザに、前記携帯端末への着信を報知し、
前記着信認識装置は、
前記周波数判定手段により、受信した前記着信通知の周波数と前記自装置の有する固有の周波数とが一致したとき、前記着信通知の周波数を、前記携帯端末へ送信する着信通知周波数送信手段を更に備え、
前記携帯端末は、
前記着信認識装置から送信された前記着信通知の周波数を受信し記憶する、着信周波数受信記憶手段を更に備え、
前記携帯端末が前記自端末宛の電波を受信したとき、記憶した前記着信通知の周波数によって前記着信認識装置へ着信通知を送信する
ことを特徴とする着信確認システム。
【請求項２】
前記フリーバンド電波送信手段は、
周波数の異なる複数のフリーバンドの電波を無作為に送信する
ことを特徴とする請求項１に記載の着信確認システム。
【請求項３】
前記周波数判定手段は、
前記自装置の有する固有の周波数を複数有し、
前記着信通知周波数送信手段は、
受信した前記着信通知の周波数と前記複数のうちいずれかの前記自装置の有する固有の周波数とが一致したとき、前記着信通知の周波数を、当該着信通知の周波数と異なる前記自装置の有する固有の周波数に変更し、前記携帯端末へ送信する
ことを特徴とする請求項１に記載の着信確認システム。
【請求項４】
前記携帯端末は、
前記自端末宛の電波を受信すると、当該電波の受信信号として、電気信号によって受信を検出する
ことを特徴とする請求項１乃至３のうちいずれか１項に記載の着信確認システム。
【請求項５】
自端末宛の電波を受信すると着信通知を送信する携帯端末と、前記着信通知を受信する着信認識装置と、を備える着信確認システムにおける着信確認方法であって、
前記携帯端末が、前記自端末宛の電波を受信すると、フリーバンドの電波によって前記着信通知を前記着信認識装置へ送信するフリーバンド電波送信ステップと、
前記着信認識装置が、前記着信通知を受信する着信通知受信ステップと、
前記着信認識装置が、受信した前記着信通知の周波数と自装置の有する固有の周波数とが一致するか否か判定する周波数判定ステップと、
前記着信認識装置が、前記周波数判定ステップにより、受信した前記着信通知の周波数と前記自装置の有する固有の周波数とが一致したとき、当該着信認識装置を有するユーザに、前記携帯端末への着信を報知する着信報知ステップと、
前記着信認識装置が、前記周波数判定ステップにより、受信した前記着信通知の周波数と前記自装置の有する固有の周波数とが一致したとき、前記着信通知の周波数を、前記携帯端末へ送信する着信通知周波数送信ステップと、
前記携帯端末が、前記着信認識装置から送信された前記着信通知の周波数を受信し記憶する、着信周波数受信記憶ステップと、
前記携帯端末が、前記自端末宛の電波を受信したとき、記憶した前記着信通知の周波数によって前記着信認識装置へ着信通知を送信する着信通知ステップと、
を備えることを特徴とする着信確認方法。
【請求項６】
前記携帯端末が、前記フリーバンド電波送信ステップにおいて、周波数の異なる複数のフリーバンドの電波を無作為に送信する
ことを特徴とする請求項５に記載の着信確認方法。
【請求項７】
前記着信認識装置が、前記周波数判定ステップにおいて、前記自装置の有する固有の周波数を複数有し、
前記着信認識装置が、前記着信通知周波数送信ステップにおいて、受信した前記着信通知の周波数と前記複数のうちいずれかの前記自装置の有する固有の周波数とが一致したとき、前記着信通知の周波数を、当該着信通知の周波数と異なる前記自装置の有する固有の周波数に変更し、前記携帯端末へ送信する
ことを特徴とする請求項５に記載の着信確認方法。
【請求項８】
前記携帯端末が、前記フリーバンド電波送信ステップにおいて、前記自端末宛の電波を受信すると、当該電波の受信信号として、電気信号によって受信を検出する
ことを特徴とする請求項５乃至７のうちいずれか１項に記載の着信確認方法。
【請求項９】
自端末宛の電波を受信すると着信通知を送信する携帯端末から、当該着信通知を受信する着信認識装置であって、
前記着信通知を受信する着信通知受信手段と、
前記着信通知受信手段により、受信した前記着信通知の周波数と自装置の有する固有の周波数とが一致するか否か判定する周波数判定手段と、を備え、
前記周波数判定手段により、受信した前記着信通知の周波数と前記自装置の有する固有の周波数とが一致したとき、当該着信認識装置を有するユーザに、前記携帯端末への着信を報知し、
前記周波数判定手段により、受信した前記着信通知の周波数と前記自装置の有する固有の周波数とが一致したとき、前記着信通知の周波数を、前記携帯端末へ送信する着信通知周波数送信手段を更に備える
ことを特徴とする着信認識装置。
【請求項１０】
自端末宛の電波を受信すると着信通知を送信する携帯端末から、当該着信通知を受信する着信認識装置における着信認識方法であって、
前記着信通知を受信する着信通知受信ステップと、
前記着信通知受信ステップにより、受信した前記着信通知の周波数と自装置の有する固有の周波数とが一致するか否か判定する周波数判定ステップと、
前記周波数判定ステップにより、受信した前記着信通知の周波数と前記自装置の有する固有の周波数とが一致したとき、当該着信認識装置を有するユーザに、前記携帯端末への着信を報知する着信報知ステップと、
前記周波数判定ステップにより、受信した前記着信通知の周波数と前記自装置の有する固有の周波数とが一致したとき、前記着信通知の周波数を、前記携帯端末へ送信する着信通知周波数送信ステップと、
を備えることを特徴とする着信認識方法。
【請求項１１】
自端末宛の電波を受信すると着信通知を送信する携帯端末から、当該着信通知を受信する着信認識装置における着信認識プログラムであって、
前記着信通知を受信する着信通知受信手順と、
前記着信通知受信手順により、受信した前記着信通知の周波数と自装置の有する固有の周波数とが一致するか否か判定する周波数判定手順と、を備え、
前記周波数判定手順により、受信した前記着信通知の周波数と前記自装置の有する固有の周波数とが一致したとき、当該着信認識装置を有するユーザに、前記携帯端末への着信を報知し、
前記周波数判定手順により、受信した前記着信通知の周波数と前記自装置の有する固有の周波数とが一致したとき、前記着信通知の周波数を、前記携帯端末へ送信する着信通知周波数送信手順を更に備える
ことをコンピュータに実行させることを特徴とする着信認識プログラム。
【発明の詳細な説明】
【技術分野】
【０００１】
本発明は、着信確認システム、着信確認方法及び着信認識装置に関する。
【背景技術】
【０００２】
関連する着信通知装置として、例えば、特許文献１に記載されたものが知られている。ここで、同文献に記載された着信通知装置４００を、図３に示す。
【０００３】
図３に示す着信通知装置４００は、携帯電話５００に着信信号送信機６００が設けられた送信機側端末と、受信機側端末となる着信信号受信機７００とを備えている。
【０００４】
着信信号送信機６００は、振動センサ６１０と、信号発生回路６２０と、送信コード設定部６３０と、変調回路６４０と、送信アンテナ６５０とを備えている。
【０００５】
着信信号受信機７００は、受信アンテナ７１０と、検波回路７２０と、信号検出回路７３０と、判別コード設定部７４０と、表示部７５０とを備えている。
この着信通知装置は、概ね以下のように動作する。
【０００６】
マナーモードに設定された携帯電話５００において、携帯電話５００が自端末宛に発信された電波を受信すると、携帯電話５００が内蔵するバイブレータ機能により、携帯電話５００自身が振動を発生させる。
【０００７】
着信信号送信機６００は、携帯電話５００に密着されているので、振動センサ６１０が携帯電話５００の振動を検出する。
振動センサ６１０は、振動を検出したことを信号発生回路６２０に通知する。
【０００８】
すると信号発生回路６２０は、振動を検出した通知により、送信コード設定部６３０の設定を元に送信コードを生成し、その送信コードを変調回路６４０へ送出する。
【０００９】
変調回路６４０は、信号発生回路６２０から送信コードを取得すると、送信コードを変調し、着信通知として送信アンテナ６５０を介して、着信信号受信機７００に送信する。
【００１０】
これに対し、着信信号受信機７００は、着信信号送信機６００から着信通知を、受信アンテナ７１０を介して受信する。
【００１１】
受信アンテナ７１０は、受信した着信通知を検波回路７２０に送出する。
検波回路７２０は、取得した着信通知を検波して、信号検出回路７３０へ送出する。
【００１２】
信号検出回路７３０は、検波された着信通知の信号の内容を、判別コード設定部７４０の設定内容により確認し、対象である携帯電話５００の振動を検出した着信通知であるか否かを判断する。
【００１３】
そして、信号検出回路７３０は、着信通知が携帯電話５００の振動を検出したものであるときには、表示部７５０に、携帯電話５００に着信があった旨を表示する。
【００１４】
このとき、着信信号送信機６００の送信コード設定部６３０と、着信信号受信機７００の判別コード設定部７４０には、同一の内容が設定されているものとする。
【００１５】
また、携帯通信端末が着信すると、別体の報知装置に無線で通信するものが、特許文献２から５に記載されている。
【００１６】
また、携帯通信端末が着信すると、近距離無線通信を使用して、別体を介在させて、ユーザと、電話やメールの送受信を行うものが、特許文献６に記載されている。
【００１７】
【特許文献１】特開２００３−１７４４９３号公報
【特許文献２】特開平１０−１５５０１２号公報
【特許文献３】特開平１１−１８７０８９号公報
【特許文献４】特開２００２−３３５５６７号公報
【特許文献５】実用新案登録第３１０９９３９号公報
【特許文献６】特開２００２−２２３４７５号公報
【発明の開示】
【発明が解決しようとする課題】
【００１８】
しかしながら、上記文献に記載されたものは、以下の点で改善の余地を有していた。
第一に、着信時に発生する携帯電話５００の振動を、振動センサ６１０を用いて検出しているため、振動センサ６１０を携帯電話５００に密着させないと、携帯電話５００への着信を、高精度に検出することができないという問題があった。
第二に、着信信号受信機７００が他人宛の携帯電話の電波を受信してしまい、誤った着信をユーザに通知してしまうという問題があった。
本発明は上記事情に鑑みてなされたものであり、その目的とするところは、携帯端末への着信を高精度に検出し、誤通知を防止する、着信確認システム、着信確認方法及び着信認識装置を提供することにある。
【課題を解決するための手段】
【００１９】
本発明によれば、自端末宛の電波を受信すると着信通知を送信する携帯端末と、前記着信通知を受信する着信認識装置と、を備える着信確認システムであって、
前記携帯端末は、
自端末宛の電波を受信すると、フリーバンドの電波によって前記着信通知を前記着信認識装置へ送信するフリーバンド電波送信手段を備え、
前記着信認識装置は、
前記着信通知を受信する着信通知受信手段と、
前記着信通知受信手段により、受信した前記着信通知の周波数と自装置の有する固有の周波数とが一致するか否か判定する周波数判定手段と、を備え、
前記周波数判定手段により、受信した前記着信通知の周波数と前記自装置の有する固有の周波数とが一致したとき、当該着信認識装置を有するユーザに、前記携帯端末への着信を報知する着信確認システムが提供される。
【００２０】
本発明によれば、自端末宛の電波を受信すると着信通知を送信する携帯端末と、前記着信通知を受信する着信認識装置と、を備える着信確認システムにおける着信確認方法であって、
前記携帯端末が、自端末宛の電波を受信すると、フリーバンドの電波によって前記着信通知を前記着信認識装置へ送信するフリーバンド電波送信ステップと、
前記着信認識装置が、前記着信通知を受信する着信通知受信ステップと、
前記着信認識装置が、受信した前記着信通知の周波数と自装置の有する固有の周波数とが一致するか否か判定する周波数判定ステップと、
前記着信認識装置が、前記周波数判定ステップにより、受信した前記着信通知の周波数と前記自装置の有する固有の周波数とが一致したとき、当該着信認識装置を有するユーザに、前記携帯端末への着信を報知する着信報知ステップと、
を備える着信確認方法が提供される。
【００２１】
本発明によれば、自端末宛の電波を受信すると着信通知を送信する携帯端末から、当該着信通知を受信する着信認識装置であって、
前記着信通知を受信する着信通知受信手段と、
前記着信通知受信手段により、受信した前記着信通知の周波数と自装置の有する固有の周波数とが一致するか否か判定する周波数判定手段と、を備え、
前記周波数判定手段により、受信した前記着信通知の周波数と前記自装置の有する固有の周波数とが一致したとき、当該着信認識装置を有するユーザに、前記携帯端末への着信を報知する着信認識装置が提供される。
【００２２】
本発明によれば、自端末宛の電波を受信すると着信通知を送信する携帯端末から、当該着信通知を受信する着信認識装置における着信認識方法であって、
前記着信通知を受信する着信通知受信ステップと、
前記着信通知受信ステップにより、受信した前記着信通知の周波数と自装置の有する固有の周波数とが一致するか否か判定する周波数判定ステップと、
前記周波数判定ステップにより、受信した前記着信通知の周波数と前記自装置の有する固有の周波数とが一致したとき、当該着信認識装置を有するユーザに、前記携帯端末への着信を報知する着信報知ステップと、
を備える着信認識方法が提供される。
【００２３】
本発明によれば、自端末宛の電波を受信すると着信通知を送信する携帯端末から、当該着信通知を受信する着信認識装置における着信認識プログラムであって、
前記着信通知を受信する着信通知受信手順と、
前記着信通知受信手順により、受信した前記着信通知の周波数と自装置の有する固有の周波数とが一致するか否か判定する周波数判定手順と、を備え、
前記周波数判定手順により、受信した前記着信通知の周波数と前記自装置の有する固有の周波数とが一致したとき、当該着信認識装置を有するユーザに、前記携帯端末への着信を報知する
ことをコンピュータに実行させる着信認識プログラムが提供される。
【発明の効果】
【００２４】
本発明によれば、携帯端末への着信を高精度に検出し、誤通知を防止する、着信確認システム、着信確認方法及び着信認識装置が提供される。
【発明を実施するための最良の形態】
【００２５】
以下、本発明の実施の形態について、図面を用いて説明する。尚、すべての図面において、同様な構成要素には同様の符号を付し、適宜説明を省略する。
（第一の実施の形態）
図１は、本発明の実施の形態の着信確認システム３００の構成を説明するためのブロック図である。
【００２６】
本実施形態において、着信確認システム３００は、自端末宛の電波を受信すると着信通知を送信する携帯電話端末１００と、携帯電話端末１００から送信された着信通知を受信する着信認識装置２００と、を備えている。
【００２７】
着信確認システム３００は、携帯電話端末１００と着信認識装置２００とが通信する必要があるため、Ｂｌｕｅｔｏｏｔｈ（登録商標）等の接続方式によって接続され、通信することができるものとする。
【００２８】
携帯電話端末１００は、電波の発着信を行う電波送受信部１０と、携帯電話端末１００の統括制御を行う制御部２０と、着信認識装置２００から送信されるフリーバンドの周波数を記憶する記憶部３０（着信周波数受信記憶手段）と、制御部２０からの指示により着信認識装置２００へ着信を通知する信号送受信部４０（フリーバンド電波送信手段）と、を備えている。
【００２９】
そして、携帯電話端末１００は、音声の着信又はメールの受信を自端末宛に送信された電波によって電波送受信部１０が受信すると、制御部２０を介して、フリーバンドの電波により着信通知を着信認識装置２００へ送信する。
【００３０】
ここで、着信通知は、フリーバンドである周波数帯（例えば、２．４ＧＨｚ帯／２．５ＧＨｚ帯の無線局の免許申請や従事者による運用が不要な周波数帯）を利用して、着信認識装置２００に通知することとする。
【００３１】
着信認識装置２００は、携帯電話端末１００から着信通知を送受信する信号送受信部５０（着信通知受信手段及び着信通知周波数送信手段）と、着信認識装置２００の統括制御を行う制御部６０と、ユーザに着信通知を報知するバイブレータ部７０と、を備えている。
【００３２】
そして、着信認識装置２００は、制御部６０（周波数判定手段）が、信号送受信部５０によって受信した着信通知の周波数と着信認識装置２００の有する固有の周波数とが一致するか否か判定し、受信した着信通知の周波数と自装置の有する固有の周波数とが一致したとき、着信認識装置２００を有するユーザに、バイブレータ部７０を用いて携帯電話端末１００への着信を報知する。
【００３３】
なお、制御部６０が、受信した着信通知の周波数と自装置の有する固有の周波数とが一致しないとき、着信認識装置２００を有するユーザに、バイブレータ部７０による携帯電話端末１００への着信は報知しない。
【００３４】
次に、本実施の形態の着信確認システム３００の動作について、図２に示すフローチャートを用いて説明する。
【００３５】
図２は、本実施の形態において、着信確認システム３００が携帯電話端末１００宛に音声の着信又はメールの受信などの電波を受信した場合のフローチャートを示したものである。
【００３６】
まず、着信確認システム３００は、携帯電話端末１００が、自端末宛に音声の着信又はメールの受信をする（ステップＳ０１）。
そうすると、携帯電話端末１００の電波送受信部１０が、音声の着信又はメールの受信をした旨の通知を制御部２０へ通知する。
【００３７】
そして、制御部２０は、音声の着信又はメールの受信をした旨の通知を取得すると、信号送受信部４０に、着信認識装置２００へ電波発信指示の通知を行う（ステップＳ０２）。
【００３８】
信号送受信部４０は、制御部２０から電波発信指示の通知を取得すると、フリーバンドの電波を用いて、着信通知をランダム（無作為）に着信認識装置２００へ送信する（ステップＳ０３）。
【００３９】
これに対し、着信認識装置２００は、携帯電話端末１００から着信通知を待ち受けており、信号送受信部５０が着信通知を受信すると、受信したフリーバンドの周波数を取得する（ステップＳ０４）。
信号送受信部５０は、取得したフリーバンドの周波数を制御部６０へ通知する。
【００４０】
そして、制御部６０は、信号送受信部５０からフリーバンドの周波数が通知されると、制御部６０が有する周波数テーブル（図示せず）を参照し、通知されたフリーバンドの周波数が周波数テーブル（図示せず）に記載されているか否か判定を行う（ステップＳ０５）。
【００４１】
制御部６０は、通知されたフリーバンドの周波数が周波数テーブル（図示せず）に記載されているときは（ステップＳ０５のＹ）、携帯電話端末１００からの着信通知が着信認識装置２００宛の着信通知であると判定し、バイブレータ部７０に振動開始の通知を行い、ユーザに報知する（ステップＳ０６）。
【００４２】
そして、制御部６０は、信号送受信部５０を介して携帯電話端末１００へ、受信したフリーバンドの周波数を周波数情報として送信する（ステップＳ０７）。
【００４３】
そして、携帯電話端末１００は、信号送受信部４０が着信認識装置２００から周波数情報を受信すると、その周波数情報を記憶部３０に記憶するように保存する（ステップＳ０８）。
【００４４】
一方、制御部６０は、通知されたフリーバンドの周波数が周波数テーブル（図示せず）に記載されていないときは（ステップＳ０５のＮ）、携帯電話端末１００からの着信通知は着信認識装置２００宛の着信通知ではないと判定し、ユーザに報知しない。
【００４５】
これにより、携帯電話端末１００は、自端末宛に音声の着信又はメールの受信などの電波を受信した場合、記憶部３０において保存された周波数情報を用いて、フリーバンドの周波数により、着信認識装置２００へ着信通知を送信することができる。
【００４６】
従って、ユーザは、携帯電話端末１００を身につけていなくても、着信認識装置２００を身につけておくだけで、音声の着信やメールの受信を認識することができる。
【００４７】
また、本実施の形態の着信確認システム３００によれば、フリーバンドの周波数の周波数帯を用いて、携帯電話端末１００と着信認識装置２００の間で周波数を確定することができるので、着信認識装置２００が、自端末である携帯電話端末１００以外から発信される電波を検出して、誤って着信通知を受けることがない。
【００４８】
また、本実施の形態の着信確認システム３００によれば、フリーバンドの周波数によって携帯電話端末１００と着信認識装置２００との間の電波を送受信しているので、近距離間（例えば、１０ｍ以内）であれば、自端末である携帯電話端末１００への音声の着信又はメールの受信を、着信認識装置２００に通知することができる。
【００４９】
また、本実施の形態の着信確認システム３００によれば、同一の構成を用いたまま、着信認識装置２００の形状を変更する（例えば、腕時計のベルトに装着できる形状など）ことにより、紛失防止を図ることができる。
【００５０】
また、この場合、例えば、着信認識装置２００を複数台使用すれば、１台の携帯電話端末１００を複数人で共有することができ、ビジネスシーンにおいて、１台の携帯電話端末１００を複数人でそれぞれ着信認識装置２００を有する着信確認システム３００を形成することができる。
【００５１】
また、本実施の形態の着信確認システム３００によれば、バイブレータ部７０を用いて、ユーザに報知するようになっているが、本実施の形態はこれに限定されるものではなく、音声や発光など、ユーザに報知する方法であれば、如何なる方法であっても良い。
【００５２】
また、本実施の形態の着信確認システム３００によれば、ステップＳ０５において、制御部６０が周波数テーブル（図示せず）に複数のフリーバンドの周波数を有し、着信通知の周波数と周波数テーブル（図示せず）に記載された周波数とが一致したとき、着信通知と異なる周波数であって、周波数テーブル（図示せず）に記載された周波数を、ステップＳ０７において送信するようにしても良い。
【００５３】
この場合、携帯電話端末１００は、複数のフリーバンドの周波数を記憶部３０に記憶することができるので、複数のフリーバンドの周波数のうち、いずれか１つの固有の周波数を着信通知として送信することができる。
【００５４】
これにより、着信確認システム３００は、携帯電話端末１００と着信認識装置２００間のフリーバンドの周波数を可変とすることができるので、誤った着信通知を排除し、通信の信頼性を高めることができる。
【００５５】
以上、図面を参照して本発明の実施形態について述べたが、これらは本発明の例示であり、他の構成により、適宜変更可能であることは勿論である。
なお、上述した実施形態によれば以下の発明が開示されている。
（付記１）
自端末宛の電波を受信すると着信通知を送信する携帯端末と、前記着信通知を受信する着信認識装置と、を備える着信確認システムであって、
前記携帯端末は、
自端末宛の電波を受信すると、フリーバンドの電波によって前記着信通知を前記着信認識装置へ送信するフリーバンド電波送信手段を備え、
前記着信認識装置は、
前記着信通知を受信する着信通知受信手段と、
前記着信通知受信手段により、受信した前記着信通知の周波数と自装置の有する固有の周波数とが一致するか否か判定する周波数判定手段と、を備え、
前記周波数判定手段により、受信した前記着信通知の周波数と前記自装置の有する固有の周波数とが一致したとき、当該着信認識装置を有するユーザに、前記携帯端末への着信を報知する
ことを特徴とする着信確認システム。
（付記２）
前記着信認識装置は、
前記周波数判定手段により、受信した前記着信通知の周波数と前記自装置の有する固有の周波数とが一致したとき、前記着信通知の周波数を、前記携帯端末へ送信する着信通知周波数送信手段を更に備え、
前記携帯端末は、
前記着信認識装置から送信された前記着信通知の周波数を受信し記憶する、着信周波数受信記憶手段を更に備え、
前記携帯端末が自端末宛の電波を受信したとき、記憶した前記着信通知の周波数によって前記着信認識装置へ着信通知を送信する
ことを特徴とする付記１に記載の着信確認システム。
（付記３）
前記フリーバンド電波送信手段は、
周波数の異なる複数のフリーバンドの電波を無作為に送信する
ことを特徴とする付記１又は２に記載の着信確認システム。
（付記４）
前記周波数判定手段は、
前記自装置の有する固有の周波数を複数有し、
前記着信通知周波数送信手段は、
受信した前記着信通知の周波数と前記複数のうちいずれかの前記自装置の有する固有の周波数とが一致したとき、前記着信通知の周波数を、当該着信通知の周波数と異なる前記自装置の有する固有の周波数に変更し、前記携帯端末へ送信する
ことを特徴とする付記２に記載の着信確認システム。
（付記５）
前記携帯端末は、
前記自端末宛の電波を受信すると、当該電波の受信信号として、電気信号によって受信を検出する
ことを特徴とする付記１乃至４のうちいずれか１つに記載の着信確認システム。
（付記６）
自端末宛の電波を受信すると着信通知を送信する携帯端末と、前記着信通知を受信する着信認識装置と、を備える着信確認システムにおける着信確認方法であって、
前記携帯端末が、自端末宛の電波を受信すると、フリーバンドの電波によって前記着信通知を前記着信認識装置へ送信するフリーバンド電波送信ステップと、
前記着信認識装置が、前記着信通知を受信する着信通知受信ステップと、
前記着信認識装置が、受信した前記着信通知の周波数と自装置の有する固有の周波数とが一致するか否か判定する周波数判定ステップと、
前記着信認識装置が、前記周波数判定ステップにより、受信した前記着信通知の周波数と前記自装置の有する固有の周波数とが一致したとき、当該着信認識装置を有するユーザに、前記携帯端末への着信を報知する着信報知ステップと、
を備えることを特徴とする着信確認方法。
（付記７）
前記着信認識装置が、前記周波数判定ステップにより、受信した前記着信通知の周波数と前記自装置の有する固有の周波数とが一致したとき、前記着信通知の周波数を、前記携帯端末へ送信する着信通知周波数送信ステップと、
前記携帯端末が、前記着信認識装置から送信された前記着信通知の周波数を受信し記憶する、着信周波数受信記憶ステップと、
前記携帯端末が、自端末宛の電波を受信したとき、記憶した前記着信通知の周波数によって前記着信認識装置へ着信通知を送信する着信通知ステップと、
を備えることを特徴とする付記６に記載の着信確認方法。
（付記８）
前記携帯端末が、前記フリーバンド電波送信ステップにおいて、周波数の異なる複数のフリーバンドの電波を無作為に送信する
ことを特徴とする付記６又は７に記載の着信確認方法。
（付記９）
前記着信認識装置が、前記周波数判定ステップにおいて、前記自装置の有する固有の周波数を複数有し、
前記着信認識装置が、前記着信通知周波数送信ステップにおいて、受信した前記着信通知の周波数と前記複数のうちいずれかの前記自装置の有する固有の周波数とが一致したとき、前記着信通知の周波数を、当該着信通知の周波数と異なる前記自装置の有する固有の周波数に変更し、前記携帯端末へ送信する
ことを特徴とする付記７に記載の着信確認方法。
（付記１０）
前記携帯端末が、前記フリーバンド電波送信ステップにおいて、前記自端末宛の電波を受信すると、当該電波の受信信号として、電気信号によって受信を検出する
ことを特徴とする付記６乃至８のうちいずれか１つに記載の着信確認方法。
（付記１１）
自端末宛の電波を受信すると着信通知を送信する携帯端末から、当該着信通知を受信する着信認識装置であって、
前記着信通知を受信する着信通知受信手段と、
前記着信通知受信手段により、受信した前記着信通知の周波数と自装置の有する固有の周波数とが一致するか否か判定する周波数判定手段と、を備え、
前記周波数判定手段により、受信した前記着信通知の周波数と前記自装置の有する固有の周波数とが一致したとき、当該着信認識装置を有するユーザに、前記携帯端末への着信を報知する
ことを特徴とする着信認識装置。
（付記１２）
自端末宛の電波を受信すると着信通知を送信する携帯端末から、当該着信通知を受信する着信認識装置における着信認識方法であって、
前記着信通知を受信する着信通知受信ステップと、
前記着信通知受信ステップにより、受信した前記着信通知の周波数と自装置の有する固有の周波数とが一致するか否か判定する周波数判定ステップと、
前記周波数判定ステップにより、受信した前記着信通知の周波数と前記自装置の有する固有の周波数とが一致したとき、当該着信認識装置を有するユーザに、前記携帯端末への着信を報知する着信報知ステップと、
を備えることを特徴とする着信認識方法。
（付記１３）
自端末宛の電波を受信すると着信通知を送信する携帯端末から、当該着信通知を受信する着信認識装置における着信認識プログラムであって、
前記着信通知を受信する着信通知受信手順と、
前記着信通知受信手順により、受信した前記着信通知の周波数と自装置の有する固有の周波数とが一致するか否か判定する周波数判定手順と、を備え、
前記周波数判定手順により、受信した前記着信通知の周波数と前記自装置の有する固有の周波数とが一致したとき、当該着信認識装置を有するユーザに、前記携帯端末への着信を報知する
ことをコンピュータに実行させることを特徴とする着信認識プログラム。
【図面の簡単な説明】
【００５６】
【図１】実施の形態に係る着信確認システムの構成を示したブロック図である。
【図２】実施の形態に係る着信確認システムの全体動作を示したフローチャートである。
【図３】関連する着信通知装置の一例を示したブロック図である。
【符号の説明】
【００５７】
１０  電波送受信部
２０  制御部
３０  記憶部
４０  信号送受信部
５０  信号送受信部
６０  制御部
７０  バイブレータ部
１００  携帯電話端末
２００  着信認識装置
３００  着信確認システム
４００  着信通知装置
５００  携帯電話
６００  着信信号送信機
６１０  振動センサ
６２０  信号発生回路
６３０  送信コード設定部
６４０  変調回路
６５０  送信アンテナ
７００  着信信号受信機
７１０  受信アンテナ
７２０  検波回路
７３０  信号検出回路
７４０  判別コード設定部
７５０  表示部
【図１】
0005011571.tif 000002
【図２】
0005011571.tif 000003
【図３】
0005011571.tif 000004